(57)【要約】    【課題】  壁掛け式のリモコン装置の充電電池への給電を簡易に行えるようにすること。    【解決手段】  温水洗浄便座カバーケース内に収容された洗浄機構が、充電電池駆動のワイヤレスリモコン装置の操作により作動されるようにした温水洗浄便座装置において、前記温水洗浄便座カバーケース内に収容された給電部に接続されたケーブルを前記温水洗浄便座カバーケースから繰り出して、前記充電電池に充電電圧を印加するようにした。【選択図】  図５
2006009261.tif 000002
【特許請求の範囲】
【請求項１】
温水洗浄便座カバーケース内に収容された洗浄機構が、充電電池駆動のワイヤレスリモコン装置の操作により作動されるようにした温水洗浄便座装置において、前記温水洗浄便座カバーケース内に収容された給電部に接続されたケーブルを前記温水洗浄便座カバーケースから繰り出して、前記充電電池に充電電圧を印加するようにした、温水洗浄便座装置。
【請求項２】
前記ケーブルをリール装置に装填することにより、前記ケーブルが前記温水洗浄便座カバーケースから繰り出されるようにした、請求項１記載の温水洗浄便座装置。
【請求項３】
前記ケーブルをコイル状に形成することにより、前記ケーブルが前記温水洗浄便座カバーケースから繰り出されるようにした、請求項１記載の温水洗浄便座装置。
【請求項４】
温水洗浄便座カバーケース内に収容された洗浄機構が、充電電池駆動のワイヤレスリモコン装置の操作により作動されるようにした温水洗浄便座装置において、前記充電電池側から延出したケーブルをワイヤレスリモコン装置から繰り出した後、前記温水洗浄便座カバーケース内に収容された給電部に接続して、前記充電電池に充電電圧を印加するようにした、温水洗浄便座装置。
【請求項５】
前記ケーブルをリール装置に装填することにより、前記ケーブルが前記ワイヤレスリモコン装置から繰り出されるようにした、請求項４記載の温水洗浄便座装置。
【請求項６】
前記ケーブルをコイル状に形成することにより、前記ケーブルが前記ワイヤレスリモコン装置から繰り出されるようにした、請求項４記載の温水洗浄便座装置。
【発明の詳細な説明】
【技術分野】
【０００１】
本発明は、温水洗浄便座装置に関し、特にリモコン装置で作動される温水洗浄便座装置に関する。
【背景技術】
【０００２】
リモコン装置で作動される温水洗浄便座装置に関しては、以前から、リモコン装置の駆動源たる電池の交換をいかにして適時に行なうかが問題とされており、その解決策として、特許文献１が開示する技術がある。すなわち、この技術は、リモコン装置の駆動源たる電池として充電電池を採用し、このリモコン装置を温水洗浄便座装置本体に装着して、この本体部から、常時、リモコン装置内部の充電電池に給電するものである。
【特許文献１】実開平７−２５７８号公報
【発明の開示】
【発明が解決しようとする課題】
【０００３】
特許文献１に開示の技術によれば、確かに、リモコン装置の電池切れの危惧及び電池切れに伴う温水洗浄便座装置の作動不能から解放されるので、この点、高く評価されてしかるべきものである。しかしながら、上記メリットは、リモコン装置を温水洗浄便座装置本体に装着できた場合にのみ享受できるものであって、リモコン装置が、例えば壁掛け式の場合には、無力である。壁掛け式のリモコン装置の充電電池への給電は、トイレ空間を画成する壁面内に配線を施す必要があり、壁掛け式のリモコン装置の充電電池への給電の、更なる簡易化が要請される。
【０００４】
それ故に、本発明は、かような要請に応えることが出来る温水洗浄便座装置を提供することを、その技術的課題とする。
【課題を解決するための手段】
【０００５】
上記の課題を解決するために請求項１で講じた第１の技術的手段は、
「温水洗浄便座カバーケース内に収容された洗浄機構が、充電電池駆動のワイヤレスリモコン装置の操作により作動されるようにした温水洗浄便座装置において、前記温水洗浄便座カバーケース内に収容された給電部に接続されたケーブルを前記温水洗浄便座カバーケースから繰り出して、前記充電電池に充電電圧を印加するようにした、温水洗浄便座装置。」
を構成したことである。
【０００６】
しかして、上記第１の技術的手段におけるケーブルの繰り出しは、請求項２に記載のように、ケーブルをリール装置に装填することにより（第２の技術的手段）、また、請求項３記載のように、ケーブルをコイル状に形成することにより（第３の技術的手段）、行うことが出来る。
【０００７】
また、上記の課題を解決するために請求項４で講じた第４の技術的手段は、
「温水洗浄便座カバーケース内に収容された洗浄機構が、充電電池駆動のワイヤレスリモコン装置の操作により作動されるようにした温水洗浄便座装置において、前記充電電池側から延出したケーブルをワイヤレスリモコン装置から繰り出した後、前記温水洗浄便座カバーケース内に収容された給電部に接続して、前記充電電池に充電電圧を印加するようにした、温水洗浄便座装置。」
を構成したことである。
【０００８】
しかして、上記第４の技術的手段におけるケーブルの繰り出しは、請求項５に記載のように、ケーブルをリール装置に装填することにより（第５の技術的手段）、また、請求項６記載のように、ケーブルをコイル状に形成することにより（第６の技術的手段）、行うことが出来る。
【発明の効果】
【０００９】
請求項１に記載の発明によれば、温水洗浄便座カバーケース内に収容された洗浄機構が、充電電池駆動のワイヤレスリモコン装置の操作により作動されるようにした温水洗浄便座装置において、前記温水洗浄便座カバーケース内に収容された給電部に接続されたケーブルを前記温水洗浄便座カバーケースから繰り出して、前記充電電池に充電電圧を印加するようにしたので、ワイヤレスリモコン装置を、前記温水洗浄便座カバーケースとは離れた位置に設置することが出来る。かくして、トイレ空間を画成する壁面内に配線を施すことなく、壁掛け式のリモコン装置の充電電池への給電が可能となる。
【００１０】
また、請求項６記載の発明によっても、同様の効果を奏することが出来る。
【発明を実施するための最良の形態】
【００１１】
次に本発明の実施態様例を図面に基づいて詳しく説明する。
【００１２】
図１及び図２において温水洗浄便座１０は、便器１２の後部上側に配置された温水洗浄便座カバーケース２４を備える。温水洗浄便座カバーケース２４内には、制御装置９０及び温水タンク９２が収納される。温水タンク９２内にはヒータ９４で所定の温度に昇温・保持された温水９６が貯溜されている。
【００１３】
また、温水洗浄便座カバーケース２４内には、肛門洗浄用ノズル２２Ａ及びビデ（女性局部）洗浄用ノズル２２Ｂが設けられており、その先端部が便器１２の内部に延出している。温水タンク９２と肛門洗浄用ノズル２２Ａ（ビデ洗浄用ノズル２２Ｂ）との間には電磁弁９６Ａ（９６Ｂ）が介装されている。また、温水タンク９２と給水配管１８との間には主開閉弁９８が介装されている。
【００１４】
しかして、制御装置９０に対して、トイレ空間を画成する壁面３０に設置されたワイアレス式のリモコン装置３２のスイッチが押されて、肛門洗浄指令（ビデ洗浄指令）がなされると、主開閉弁９８及び電磁弁９６Ａ（９６Ｂ）が開かれて、給水配管１８からの水圧が主開閉弁９８を通過して温水タンク９２内に供給される。結果、温水タンク９２内の温水が、電磁弁９６Ａ（９６Ｂ）を介して肛門洗浄用ノズル２２Ａ（ビデ洗浄用ノズル２２Ｂ）に送供給されて、その先端部から、便座１４上の使用者の肛門（ビデ）に噴射されるようになっている。
【００１５】
図２に示されるように、制御装置９０からは、ケーブル４０を介して、ケーブル４０の先端部に接続されたプラグ４２に、常時、ＤＣ１２ボルトの電圧が印加されている。温水洗浄便座カバーケース２４内には、リール装置４４が設置されており、ケーブル４０がリール装置４４に巻回装着されることにより、ケーブル４０がプラグ４２と一体的に、温水洗浄便座カバーケース２４から繰り出されるようになっている。しかして、図３に示されるように、温水洗浄便座カバーケース２４の側部に形成された凹部２４ａには、プラグ４２が弾着係合にて収容されている。
【００１６】
しかして、図４に示されるように、リモコン装置３２は、周知の内部構造を備え、内蔵の充電電池３４で駆動されるようになっている。リモコン装置３２には、外部に露呈し且つ充電電池３４の両極に接続されたジャック３６が設けられており、ケーブル４０を温水洗浄便座カバーケース２４から繰り出されて、このジャック３６にプラグ４２が、図５に示されるように、挿脱自在に嵌合されると、ケーブル４０に供給されているＤＣ１２ボルトが、充電電圧として充電電池３４に印加され、充電電池３４の充電がなされる。
【００１７】
充電の終了後、プラグ４２をジャック３６から抜けば、ケーブル４０を温水洗浄便座カバーケース２４内に繰り込み、収納することが出来る。
【００１８】
また、充電時期は、リモコン装置３２の液晶画面３２ａが暗くなったときか、別途、リモコン装置３２に設けられるインディケータ（図示略）が点灯したときその他である。また、図示はされないが、ケーブル４０はコイル状に形成しておけば、リール装置を用いることなく、ケーブル４０の繰り出し・繰り入れを、簡単に行うことが出来る。
【００１９】
尚、図示はしないが、ケーブル４０をワイヤレスリモコン装置３２から繰り出した後、温水洗浄便座カバーケース内に収容された給電部に接続して、充電電池３２に充電電圧を印加するようにしても良い。この場合も、リール装置による繰り出しでも良いし、コイル状に形成した繰り出し態様でも良いことは、もちろんである。
【図面の簡単な説明】
【００２０】
【図１】本発明の実施形態に係り、ワイヤレスリモコン装置の非充電時の、温水洗浄便座装置の斜視図。
【図２】図１の温水洗浄便座装置の温水洗浄便座カバーケースの内部構成を示すブロック図。
【図３】図１のＡ部の拡大詳細図。
【図４】ワイヤレスリモコン装置の内部構造の概略を示す図。
【図５】ワイヤレスリモコン装置の充電時の、図１の温水洗浄座装置の斜視図。
【符号の説明】
【００２１】
１０：温水洗浄便座装置
２４：温水洗浄便座カバーケース
３２：ワイヤレスリモコン装置
４０：ケーブル
【図１】
2006009261.tif 000003
【図２】
2006009261.tif 000004
【図３】
2006009261.tif 000005
【図４】
2006009261.tif 000006
【図５】
2006009261.tif 000007